(57)【要約】【課題】本考案は、結合強度に優れ、弾性的傾斜ができ、背もたれのぐらつきや不完全な固定といった状況がなく、効果的に製品の組立品質を増進し、製品の競争力を向上する椅子の背もたれ取り付け部材の提供することを目的とする。【解決手段】本考案の椅子の背もたれ取り付け部材は、主に優れた弾性を備えた基材を背もたれと相互に結合される背もたれ支持枠の間に設置し、前記基材の中段部位に中間座部を埋設し、前記中間座部の中央に貫通状の中央孔を設け、中央ボルトを貫通させて背もたれ支持枠上に対応して設置されたネジ孔内に螺合させ結合と位置決めとを形成し、複数の側端座部が基材の周縁部位に対称に埋設され、前記側端座部の中央に貫通状の孔部が設けられ、サイドボルトを貫通させて背もたれ上に対応して設置されたネジ孔内に螺合させ、前記基材が力を受けて弾性的に変形する特性により前記背もたれに背もたれ支持枠に相対する弾性的偏移を生じさせる。【選択図】図１
0003135597.tif 000002
【実用新案登録請求の範囲】
【請求項１】
椅子の背もたれ取り付け部材であって、
少なくとも、湾曲変形可能な弾性を備え、背もたれと相互に結合される背もたれ支持枠の間に設置される基材と、
剛性に優れ、前記基材の中段部位に埋設された中間座部と、
剛性に優れ、前記基材の周縁部位に対称に埋設された複数の側端座部と、を含み、
そのうち前記中間座部は中央に貫通された中央孔が設けられ、中央結合部材を貫通させて背もたれ支持枠上の対応する部位内に伸入させ結合を形成することができ、
前記側端座部は中央に貫通された孔部が設けられ、側端結合部材を貫通させて背もたれ上の対応する部位内に伸入させ結合を形成することができることを特徴とする椅子の背もたれ取り付け部材。
【請求項２】
前記中間座部の中央孔の前記背もたれ支持枠に面する片側の周縁部に弧形凹部が設けられ、前記背もたれ支持枠の表面に対応して装着されることを特徴とする請求項１に記載の椅子の背もたれ取り付け部材。
【請求項３】
前記側端座部の前記背もたれに面する片側に複数の尖錐凸部が設けられ、前記背もたれの表面に挿入するために用いられることを特徴とする請求項１に記載の椅子の背もたれ取り付け部材。
【請求項４】
前記中央結合部材及び前記側端結合部材がボルトであることを特徴とする請求項１に記載の椅子の背もたれ取り付け部材。
【請求項５】
前記中央孔の背もたれ支持枠に対向する側とは反対側の端部と、前記孔部の背もたれに対向する側とは反対側の端部にそれぞれ凹部を設けたことを特徴とする請求項１に記載の椅子の背もたれ取り付け部材。
【考案の詳細な説明】
【技術分野】
【０００１】
本考案は椅子の背もたれ取り付け部材の改良構造に関し、特に、優れた弾性変形と構造強度とを備えた、椅子の背もたれ取り付け部材に関する。
【背景技術】
【０００２】
従来の椅子の背もたれ構造は、その多くが片状の背もたれを直接座席パッド（または手すり）の後方辺縁部に固定するか、背もたれフレームが背もたれ後方に延伸され、この背もたれを背もたれフレーム上に結合させるものであり、これにより固定式（移動不能）の背もたれ組立て構造が形成される。
【０００３】
また、別に座席パッド後方辺縁部に湾曲と弾性変形とが可能なフレームを背もたれに接続した構造があり、このフレームの弾性変形特性を利用し、背もたれを後方へ傾ける動作ができるようになっているものがあり、このような構造はより優れた使用上の快適さが得られる。
【０００４】
しかしながら、上述の従来の後方へ傾けることができる椅子の背もたれ構造は、剛性（変形不能）の取り付け部材により背もたれと関連装置（フレーム）を結合させているため、取り付け部材が背もたれとフレームとの間に完全に固定されている場合、背もたれがフレームの弾性変形方向のみに湾曲できるだけであり（即ち前傾または後傾）、このように方向の変化に乏しい支持効果では、座ったときの快適さの要求を満たすことは難しい。取り付け部材と背もたれまたはフレームとの間に間隙を残し、背もたれをフレームに相対して異なる各方向に傾斜させる空間を形成した場合、背もたれに方向の変化を備えた支持効果を生むことはできるが、この背もたれは固定が不完全であるため容易にぐらつきや揺れを生じ、間接的に消費者の製品に対する信頼と使用感とが損なわれてしまうため、これは応用上の大きな欠点となっている。
【０００５】
従来の椅子の背もたれ取り付け部材に上述のような欠点があることに鑑みて、本考案の考案者はこれら欠点について改善方法を研究し、本考案が生まれるに至ったものである。
【考案の開示】
【考案が解決しようとする課題】
【０００６】
本考案の主な目的は、結合強度に優れ、弾性的傾斜ができ、且つ背もたれのぐらつきや不完全な固定といった状況がなく、効果的に製品の組立て品質を増進し、製品の競争力を向上することができる、椅子の背もたれ取り付け部材を提供することにある。
【０００７】
本考案の別の目的は、構造上極めて簡易で、製造コストを効果的に抑えることができる、椅子の背もたれ取り付け部材を提供することにある。
【課題を解決するための手段】
【０００８】
本考案の上述の目的及び効果を達するため、採用する技術手段は次を含む。湾曲変形可能な弾性を備え、背もたれと相互に結合される背もたれ支持枠の間に設置された基材と、剛性に優れ、前記基材の中段部に埋設された中間座部と、剛性に優れ、基材の周縁部に対称に埋設された複数の側端座部と、を含み、そのうち前記中間座部は中央に貫通状の中央孔が設けられ、中央結合部材を貫通させて背もたれ支持枠上の対応する部位内に伸入させ結合を形成することができ、前記側端座部は中央に貫通状の孔部が設けられ、側端結合部材を貫通させて背もたれ上の対応する部位内に伸入させ結合を形成することができる。
【考案の効果】
【０００９】
上述の構造により、本考案の椅子の背もたれ取り付け部材は、結合強度に優れ、弾性的傾斜ができ、且つ背もたれのぐらつきや不完全な固定といった状況がなく、効果的に製品の組立て品質を増進し、製品の競争力を向上することができると共に、構造上極めて簡易で、製造コストを効果的に抑えることができる。
【００１０】
本考案の詳細な構造、応用原理、作用及び効果について、完全な理解を促すため、以下、図面を参照しながら説明する。
【考案を実施するための最良の形態】
【００１１】
図１に本考案の立体斜視図を示す。同時に図２の断面図を参照するとはっきり分かるように、本考案の取り付け部材Ａは主に、基材１、中間座部２及び複数の側端座部３を含んで成り、そのうち、前記基材１は優れた弾性を備えた軟質材料（例：硬質ゴム）から成り、外力の作用を受けて回復可能な湾曲やひねり変形をすることができる。前記中間座部２は硬質且つ優れた剛性を備えた材料（例：プラスチックや金属）から成り、前記基材１の中段（または中央）部に埋設され、前記中間座部２は中央に貫通された中央孔２１が形成され、前記中央孔２１は一端に凹部２２が設けられ、他端に横方向に延伸された弧形凹部２３が設けられる。前記複数の側端座部３も硬質且つ剛性を備えた材料（例：プラスチックや金属）から成り、基材１の周縁部位に対称に埋設され、各側端座部３の中央に貫通された孔部３１が形成され、且つ、前記孔部３１の弧形凹部２３に臨む側の一端に凹部３２が設けられると共に、前記側端座部３の前記凹部３２の反対側の周縁部に複数の尖錐凸部３３が設けられる。
【００１２】
図３及び図４に本考案の取り付け状態を示す立体図及び取り付け部位断面図をそれぞれ示す。前記の２つの図に示すように、取り付け時には、前記取り付け部材Ａの中間座部２の弧形凹部２３が背もたれ支持枠４の横方向架設部位に装着され、中央ボルト２４を凹部２２の一端から前記中央孔２１に貫通させ、且つ背もたれ支持枠４上に対応して設置されたネジ孔内に螺合し、結合と位置決めとを形成する。その後、さらに側端座部３の複数の尖錐凸部３３を椅子の背もたれ５の表面に挿入して位置決めを形成し、複数のサイドボルト３４を凹部３２の一端から前記孔部３１に貫通させ、さらに背もたれ５上に対応して設置されたネジ孔内に螺合させ、結合を形成する。これにより、前記背もたれ５は前記取り付け部材Ａを介して背もたれ支持枠４としっかりとした結合を形成することができる。
【００１３】
図５及び図６に本考案の実際の使用時の背もたれの各傾斜動作図を示す。前記２つの図に示すように、使用時には、前記背もたれ５、及び背もたれ支持枠４は前記取り付け部材Ａの基材１が力を受けて弾性的に湾曲できる特性を利用し、前記背もたれ５に使用者の座る姿勢の違いに合わせて相対する弾性的な縦方向の傾斜または横方向のひねりを形成させ、優れた支持効果を提供することができる。
【００１４】
本考案の上述のような構造は、中間座部２２と背もたれ支持枠４との結合、及び側端座部３３と背もたれ５との結合共に、完全に密着した状態に取り付けられるため、いかなる間隙や緩みもなく、且つ、基材１の弾性変形を利用して背もたれ５、背もたれ支持枠４の間に傾斜やひねりを提供するため、実際の応用時にぐらつきや揺れといった状況が発生せず、使用者が品質不良の使用感を覚えるのを効果的に防止することができる。且つ、その部材の組立て及び結合方式はすべて極めて簡易で高い強度を備えており、効果的に製造コストを抑えることができるだけでなく、使用寿命を延長することができ、製品全体の競争力を増進することができる。
【００１５】
上述から分かるように、本考案の椅子の背もたれ取り付け部材の改良構造は、結合強度に優れ、構造が簡易でコストが低いという効果を確実に備えており、産業的利用価値、新規性、進歩性を確かに備えている。
【図面の簡単な説明】
【００１６】
【図１】本考案の立体斜視図である。
【図２】本考案の断面図である。
【図３】本考案の取り付け状態を示す立体図である。
【図４】本考案の応用時の取り付け部位の断面図である。
【図５】本考案の実際の使用時の背もたれの傾斜動作図（一）である。
【図６】本考案の実際の使用時の背もたれの傾斜動作図（二）である。
【符号の説明】
【００１７】
１  基材
２  中間座部
３  側端座部
４  背もたれ支持枠
５  背もたれ
２１  中央孔
２２  凹部
２３  弧形凹部
２４  中央ボルト
３１  孔部
３２  凹部
３３  尖錐凸部
３４  サイドボルト
A  取り付け部材
【図１】
0003135597.tif 000003
【図２】
0003135597.tif 000004
【図３】
0003135597.tif 000005
【図４】
0003135597.tif 000006
【図５】
0003135597.tif 000007
【図６】
0003135597.tif 000008